(57)【要約】  収納具３や収納具３の底板３２が汚れた場合に容易に洗浄したり、収納具３及び底板３２の交換できるとともに、長尺物品の収納に適した物品収納装置１を提供する。【選択図】図１
2013005462.tif 000002
【特許請求の範囲】
【請求項１】
支柱と、
該支柱に取り付けられ、物品を収納するための収納具とを備え、
前記支柱は、伸縮自在となされると共に、上下方向に相対向する二つの面の間にその上下端を突っ張らせるようにして固定可能となされ、
前記収納具は、
前記支柱を挿通すると共に上下位置を調節可能に取り付けられた取付部と、
前記物品を収納する収納部と、
を備えており、
該収納部は、その底板が着脱自在とされていることを特徴とする物品収納装置。
【請求項２】
請求項１に記載の物品収納装置であって、
前記収納部は、前記取付部と着脱自在となされたことを特徴とする物品収納装置。
【請求項３】
請求項２に記載の物品収納装置であって、
予め任意の形態を備えて複数の収納部が用意され、
該複数の収納部は、いずれも同一の前記取付部に取り付け可能な共通した形態の前記嵌合部を備えており、
複数の前記収納部から任意の前記収納部を選択して前記取付部に取り付けることを可能としたことを特徴とする物品収納装置。
【請求項４】
支柱と、
該支柱に取り付けられ、物品を収納するための収納具とを備え、
前記支柱は、伸縮自在となされると共に、上下方向に相対向する二つの面の間にその上下端を突っ張らせるようにして固定可能となされ、
前記収納具は、
前記支柱を挿通すると共に上下位置を調節可能に取り付けられた取付部と、
前記物品を収納する収納部と、
を備えており、
前記収納部は、前記取付部と着脱自在となされたことを特徴とする物品収納装置。
【請求項５】
請求項１から４のいずれか１項に記載の物品収納装置であって、
前記収納部は、その上面に凹部が形成された受け皿状となされたことを特徴とする物品収納装置。
【請求項６】
請求項１から５のいずれか１項に記載の物品収納装置であって、
前記支柱に挿通された前記取付部と前記支柱との間の隙間を埋めるスペーサを備えたことを特徴とする物品収納装置。
【請求項７】
請求項１から６のいずれか１項に記載の物品収納装置であって、
前記支柱には、前記収納具の上下位置を固定させるＯリングを備えていることを特徴とする物品収納装置。
【請求項８】
請求項１から７のいずれか１項に記載の物品収納装置であって、
前記収納部は、
その上面に凹部が形成された第一収納部と、
該第一収納部の上方に配され、上下に挿通する挿通孔が形成された第二収納部との組み合わせにより成り、
収納する物品を第二収納部に形成された挿通孔へ上方から挿通させ、該物品の下端部を第一収納部の凹部に載置するようにして物品を収納できる長物収納部となされたことを特徴とする物品収納装置。
【請求項９】
請求項１から８のいずれか１項に記載の物品収納装置であって、
さらに、前記収納具を覆うためのカバー部材を備え、
前記カバー部材は、前記収納具を覆う位置と覆わない位置との間で移動可能に設けられていることを特徴とする物品収納装置。
【請求項１０】
請求項９に記載の物品収納装置であって、
前記カバー部材は、支柱に回動可能に取り付けられ、支柱に対して回動させることにより、前記収納具を覆う位置と覆わない位置との間で移動可能となされていることを特徴とする物品収納装置。
【請求項１１】
請求項９又は１０に記載の物品収納装置であって、
さらに、前記支柱の上下方向の所望の位置に前記カバー部材を取り付けるカバー取付部材を備え、
該カバー取付部材は、前記カバー部材と着脱可能とすることを特徴とする物品収納装置。
【請求項１２】
請求項９から１１のいずれか１項に記載の物品収納装置であって、
前記カバー部材は、中空部を備えた箱体の一面に開口部が形成されてなり、該カバー部材の位置を前記収納具を覆う位置にした状態においては、収納具の少なくとも一部が前記開口部から前記中空部内に収容されるようになされたことを特徴とする物品収納装置。
【請求項１３】
請求項１２に記載の物品収納装置であって、
前記箱体の上面壁の奥行きの長さと下面壁の奥行きの長さとが異なることを特徴とする物品収納装置。
【請求項１４】
支柱と、
該支柱に取り付けられ、物品を収納するための収納具とを備え、
前記支柱は、伸縮自在となされると共に、上下方向に相対向する二つの面の間にその上下端を突っ張らせるようにして固定可能となされ、
前記収納具は、
前記支柱を挿通すると共に上下位置を調節可能に取り付けられた取付部と、
前記物品を収納する収納部と、
を備えており、
前記支柱には、前記収納具の上下位置を固定させるＯリングを備えていることを特徴とする物品収納装置。
【発明の詳細な説明】
【技術分野】
【０００１】
本発明は、様々な小物や調味料、その他生活用品などを整理して収納するための物品収納装置に関するものであり、より詳しくは、室内の床面と天井との間など、上下方向に相対向する面の間に突っ張らせるようにして立設した支柱に収納具を取り付けて様々な物品を収納できるようにした物品収納装置に関するものである。
【背景技術】
【０００２】
従来から、室内の床面と天井との間などに突っ張らせるようにして支柱を立設するとともに、当該支柱を挿通するようにしてフックや収納台などの収納具を取り付け、このフックに衣類や小物などを引っ掛け、あるいは収納台に物品を載置するなどして様々な物品を整理して収納する物品収納装置があった（例えば、下記特許文献１参照）。
【先行技術文献】
【特許文献】
【０００３】
【特許文献１】実開平５−８６２７３号公報
【発明の概要】
【発明が解決しようとする課題】
【０００４】
上記のような従来の物品収納装置においては、収納具が汚れた場合に、収納具を丸ごと洗浄するには、収納具に収納された物品を降ろすとともに、支柱から収納具を一旦取り外す必要があった。さらに、汚れが酷い場合には、収納具を丸ごと交換することもあり、当該作業は非常に面倒なものとなっていた。【０００５】
また、上記のような従来の物品収納装置においては、一般には収納具は皿状であるため長尺の物品（例えば、傘、杖など）の収納には適さなかった。【０００６】
本発明は、上記のような問題点を克服するためになされたものであり、収納具が汚れた場合に容易に洗浄及び交換できるとともに、長尺物品の収納に適した物品収納装置を提供することを目的とする。
【課題を解決するための手段】
【０００７】
上記の課題を解決するため、本発明に係る物品収納装置は、支柱と、該支柱に取り付けられ、物品を収納するための収納具とを備え、前記支柱は、伸縮自在となされると共に、上下方向に相対向する二つの面の間にその上下端を突っ張らせるようにして固定可能となされ、前記収納具は、前記支柱を挿通すると共に上下位置を調節可能に取り付けられた取付部と、前記物品を収納する収納部と、を備えており、該収納部は、その底板が着脱自在とされていることを特徴とする。【０００８】
本発明に係る物品収納装置によれば、収納具に着脱自在に取り付けられた底板を容易に取り外すことができ、収納具の底板が汚れても底板を丸ごと水洗い洗浄をすることができるとともに、汚れた底板を交換することができる。また、底板の取り外しが自在であるため、収納具の高さ以上の長尺の物品を収納することができる。【０００９】
上記の物品収納装置であって、前記収納部は、前記取付部と着脱自在となされていてもよい。【００１０】
このようにすれば、取付部に着脱自在に取り付けられた収納部を付け替えるだけで、容易に収納具の取替えができる。この場合、一旦立設した支柱を取外す必要もないので、収納具の取替え作業が非常に容易なものとなる。これにより、収納部を丸ごと水洗い洗浄することができるとともに、汚れた収納部を交換することができる。【００１１】
上記の物品収納装置であって、予め任意の形態を備えて複数の収納部が用意され、該複数の収納部は、いずれも同一の前記取付部に取り付け可能な共通した形態の前記嵌合部を備えており、複数の前記収納部から任意の前記収納部を選択して前記取付部に取り付けることを可能としてもよい。【００１２】
このようにすれば、予め用意された収納部の中から任意の収納部を選択して付け替えるだけで、容易に収納部のレイアウト変更が可能となる。【００１３】
上記の物品収納装置であって、支柱と、該支柱に取り付けられ、物品を収納するための収納具とを備え、前記支柱は、伸縮自在となされると共に、上下方向に相対向する二つの面の間にその上下端を突っ張らせるようにして固定可能となされ、前記収納具は、前記支柱を挿通すると共に上下位置を調節可能に取り付けられた取付部と、前記物品を収納する収納部と、を備えており、前記収納部は、前記取付部と着脱自在となされていてもよい。【００１４】
このようにすれば、収納部の取替え作業が非常に容易なものとなる。【００１５】
上記の物品収納装置であって、前記収納部は、その上面に凹部が形成された受け皿状となされていてもよい。【００１６】
このようにすれば、転がり易い物品や、見失い易い小さな物品なども好適に収納することが可能となる。【００１７】
上記の物品収納装置であって、前記支柱に挿通された前記取付部と前記支柱との間の隙間を埋めるスペーサを備えていてもよい。【００１８】
このようにすれば、スペーサが支柱と取付部との間の隙間を埋めるため、確実に収納具を支柱に固定することができる。【００１９】
上記の物品収納装置であって、前記支柱には、前記収納具の上下位置を固定させるＯリングを備えていてもよい。【００２０】
このようにすれば、支柱の所望の高さにＯリングを取り付けることにより、確実に収納具を支柱に取り付けることができる。【００２１】
上記の物品収納装置であって、前記収納部は、その上面に凹部が形成された第一収納部と、該第一収納部の上方に配され、上下に挿通する挿通孔が形成された第二収納部との組み合わせにより成り、収納する物品を第二収納部に形成された挿通孔へ上方から挿通させ、該物品の下端部を第一収納部の凹部に載置するようにして物品を収納できる長物収納部となされていてもよい。【００２２】
このようにすれば、例えば菜箸やハサミ、ペン、ものさしなどの縦長の物品を好適に収納でき、また第一収納部と第二収納部との間隔を適宜調整して拡げることによって、傘や杖などのより長尺の物品を好適に収納することが可能となる。【００２３】
上記の物品収納装置であって、さらに、前記収納具を覆うためのカバー部材を備え、前記カバー部材は、前記収納具を覆う位置と覆わない位置との間で移動可能に設けられていてもよい。【００２４】
このようにすれば、カバー部材が、収納具を覆う位置と覆わない位置との間で移動可能に設けられているので、前記覆う位置においては、カバー部材が目隠しとなって、収納物品を外観からは見えないように収納するとともに、収納物品が汚れることを防ぐ。また、収納物品を出し入れするときには、覆わない位置にすることで、収納物品の出し入れが可能となる。  上記の物品収納装置であって、前記カバー部材は、支柱に回動可能に取り付けられ、支柱に対して回動させることにより、前記収納具を覆う位置と覆わない位置との間で移動可能となされていてもよい。【００２５】
このようにすれば、カバー部材を回動させるだけで、カバー部材を「覆う位置」と「覆わない位置」との変更が可能となる。【００２６】
上記の物品収納装置であって、さらに、前記支柱の上下方向の所望の位置に前記カバー部材を取り付けるカバー取付部材を備え、該カバー取付部材は、前記カバー部材と着脱可能とされていてもよい。【００２７】
このようにすれば、カバー取付部材とカバー部材は着脱自在となり、カバー部材の着脱作業が非常に容易なものとなる。また、カバー部材を取り外して丸ごと洗浄することもできる。【００２８】
上記の物品収納装置であって、前記カバー部材は、中空部を備えた箱体の一面に開口部が形成されてなり、該カバー部材の位置を前記収納具を覆う位置にした状態においては、収納具の少なくとも一部が前記開口部から前記中空部内に収容されるようになされていてもよい。【００２９】
このようにすれば、収納物品がカバー部材の中空部に配置されるため、より確実に収納物品が見えないように収納することが可能となる。また、収納物品にホコリや油その他の汚れが付着しにくくなる。【００３０】
上記の物品収納装置であって、前記箱体の上面壁の奥行きの長さと下面壁の奥行きの長さを異なるものとしてもよい。【００３１】
このようにすれば、建物の壁面に沿わせた場合に壁面と箱体の開口部との間に隙間が確保されるので、箱体の側面壁を指先で摘んでカバー部材を回動させることができる。従って、カバー部材の開閉操作が容易となる。また、カバー部材の側面壁側から視たときの見栄えを良くすることができる。【００３２】
上記の物品収納装置であって、支柱と、該支柱に取り付けられ、物品を収納するための収納具とを備え、前記支柱は、伸縮自在となされると共に、上下方向に相対向する二つの面の間にその上下端を突っ張らせるようにして固定可能となされ、前記収納具は、前記支柱を挿通すると共に上下位置を調節可能に取り付けられた取付部と、前記物品を収納する収納部と、を備えており、前記支柱には、前記収納具の上下位置を固定させるＯリングを備えていてもよい。【００３３】
このようにすれば、支柱の所望の高さにＯリングを取り付けることにより、確実に収納具を支柱に取り付けることができる。
【発明の効果】
【００３４】
以上のとおり、本発明に係る物品収納装置によれば、収納具及び収納具の底板が汚れた場合に容易に洗浄したり、収納具及び底板の交換できるとともに、長尺物品の収納に適した物品収納装置を提供することができる。
【図面の簡単な説明】
【００３５】
【図１】本発明に係る物品収納装置の一実施形態を示す斜視図である。
【図２】図１に示した物品収納装置における支柱の側断面図（部分断面図）であり、（ａ）はその全体図、（ｂ）及び（ｃ）はその一部拡大図である。
【図３】図１に示した実施形態における収納具を示す斜視図であり、収納具本体から底板を取り外した状態を示した図である。
【図４】図３に示した収納具の（ａ）は平面図、（ｂ）は左側面図、（ｃ）は正面図、（ｄ）は右側面図、（ｅ）は底面図、（ｆ）は底面側からみた斜視図である。
【図５】図３に示した底板の（ａ）は平面図、（ｂ）は左側面図、（ｃ）は正面図、（ｄ）は右側面図、（ｅ）は底面図である。
【図６】収納具及びカバー部材を支柱に取り付ける一形態を示すための説明図であり、（ａ）及び（ｂ）は、上側支柱体に収納具及びカバー部材を取り付ける様子を示した図、（ｃ）及び（ｄ）は、下側支柱体に収納具及びカバー部材を取り付ける様子を示した図である。
【図７】収納具及びカバー部材を支柱に取り付ける一形態を示すための説明図であり、（ａ）は、上側支柱体に収納具及びカバー部材を取り付ける様子を示した側断面図、（ｂ）は、下側支柱体に収納具及びカバー部材を取り付ける様子を示した側断面図である。
【図８】（ａ）は、収納具及び収納具を取り付けるためのスペーサの側断面図を示した説明図であり、（ｂ）は、収納具、収納具を取り付けるためのスペーサ及び第二スペーサの側断面を示した説明図である。
【図９】本発明に係る物品収納装置における収納具の取付部の一実施形態を示す斜視図である。
【図１０】図９に示した収納具の取付部の（ａ）は平面図、（ｂ）は左側面図、（ｃ）は（ａ）におけるＡ−Ａ線間断面図である。
【図１１】本発明に係る物品収納装置における収納具の収納部の他の実施形態を示す斜視図である。
【図１２】図１１に示した収納部の（ａ）は平面図、（ｂ）は底面図、（ｃ）は左側面図、（ｄ）は（ａ）におけるＢ−Ｂ線間断面図、（ｅ）は（ｃ）におけるＣ−Ｃ線間の水平断面図である。
【図１３】図９に示した取付部及び図１１に示した収納部を支柱に取り付ける様子を示す説明図である。
【図１４】（ａ）は図１３において収納具を支柱に取り付ける様子を示した説明図の側断面図であり、（ｂ）は取り付けた後の状態における取り付け箇所の側断面図である。
【図１５】図９に示した取付部及び図１１に示した収納部を、更に第二スペーサを用いて支柱に取り付ける様子を示す説明図である。
【図１６】（ａ）は図１５において収納具を支柱に取り付ける様子を示した説明図の側断面図であり、（ｂ）は取り付けた後の状態における取り付け箇所の側断面図である。
【図１７】本発明に係る物品収納装置における収納部（長物収納部）の一実施形態を示す斜視図であり、支柱に取り付けた状態を示す図である。
【図１８】図１７に示した長物収納部における第二収納部を示す斜視図である。
【図１９】図１８に示した第二収納部の（ａ）は底面図、（ｂ）は左側面図、（ｃ）は（ａ）におけるＤ−Ｄ線間断面図である。
【図２０】図１７に示した長物収納部を支柱に取り付ける様子を示す説明図である。
【図２１】本発明に係る物品収納装置の他の実施形態を示す斜視図である。
【図２２】図２１に示した物品収納装置を背面側かつ下方から見た斜視図である。
【図２３】図２１に示した物品収納装置の（ａ）は平面図、（ｂ）は左側面図、（ｃ）は正面図、（ｄ）は右側面図、（ｅ）は底面図である。
【図２４】図２１に示した実施形態におけるカバー部材の（ａ）は正面側から見た斜視図、（ｂ）は背面側から見た斜視図である。
【図２５】図２４に示したカバー部材の（ａ）は平面図、（ｂ）は左側面図、（ｃ）は正面図、（ｄ）は右側面図、（ｅ）は底面図、（ｆ）は背面図である。
【図２６】（ａ）は、カバー部材の上面壁に形成された支柱挿通孔部と上部スペーサを、（ｂ）は、カバー部材の下面壁に形成された支柱挿通孔部と下部スペーサを、それぞれその側断面を示した説明図である。
【図２７】本発明に係る物品収納装置のカバー部材の変形例を示す斜視図である。
【図２８】本発明に係る物品収納装置のカバー部材の他の変形例を示す斜視図である。
【図２９】図２８に示したカバー部材の（ａ）は平面図、（ｂ）は左側面図、（ｃ）は正面図、（ｄ）は右側面図、（ｅ）は底面図、（ｆ）は背面図である。
【図３０】カバー部材を支柱に取り付けるカバー取付部材の平面図である。
【図３１】カバー部材を支柱に取り付けるスペーサの斜視図である。
【図３２Ａ】図３１に示したスペーサを支柱に取り付ける様子を示し、スペーサの取り付け前を示す説明図である。
【図３２Ｂ】図３１に示したスペーサを支柱に取り付ける様子を示し、スペーサの取り付け後を示す説明図である。
【図３３Ａ】図２８に示したカバー部材を支柱に取り付ける様子を示し、カバー部材の取り付け前を示す説明図である。
【図３３Ｂ】図２８に示したカバー部材を支柱に取り付ける様子を示し、カバー部材の取り付け後を示す説明図である。
【図３４Ａ】図３０に示したカバー取付部材によりカバー部材を支柱に位置決め固定する様子を示し、カバー取付部材の取り付け前を示す説明図である。
【図３４Ｂ】図３０に示したカバー取付部材によりカバー部材を支柱に位置決め固定する様子を示し、カバー取付部材の取り付け後を示す説明図である。
【図３４Ｃ】図３４Ｂの要部拡大図である。
【発明を実施するための形態】
【００３６】
以下、本発明を実施するための形態を、図面に基づいて詳細に説明する。
【００３７】
図１は、本発明に係る物品収納装置の一実施形態を示す斜視図である。図１に示すように、本実施形態における物品収納装置１は、支柱２と、支柱２に取り付けられた４つの収納具３及び２つの収納具３を組み合わせた長物収納具８とにより構成される。
【００３８】
この物品収納装置１は、長さ調節の自在な支柱２を室内や玄関周りにおける床面と天井との間、室内に置かれたデスクの天板と天井との間、キッチンの流し台と天井との間など、上下に相対向する面間に突っ張らせるようにして立設し、その上で、支柱２に取り付けられた収納具３や長物収納具８に様々な物品を収納できるようにしたものである。
【００３９】
収納具３には、室内にある様々な小物や生活雑貨などを収納でき、また、デスク周りでは文具などを収納できる。さらに、キッチンにおいては調理器具や調味料などを整理して収納することが可能である。或いは、観葉植物などを植えた植木鉢を載せて飾るなどして、インテリア的に使用することも可能である。また、長物収納具８には、長尺の物品を立てて収納することが可能である。
【００４０】
以下、これらの詳細な構成について順に説明する。
【００４１】
本実施形態に用いられる支柱２について図２を参照しながら説明する。図２は、図１に示した物品収納装置における支柱の側断面図（部分断面図）であり、（ａ）はその全体図、（ｂ）及び（ｃ）はその一部拡大図である。
【００４２】
支柱２は、合成樹脂被覆した金属製パイプにより形成される円筒形状の上側支柱体２１と、同じく合成樹脂被覆した金属製パイプにより形成され上側支柱体２１内に嵌挿される円筒形状の下側支柱体２２と、上側支柱体２１と下側支柱体２２とを接続するソケット２３と、を備えている。
【００４３】
ソケット２３は、略円筒形状であって、上側支柱体２１の下端部に固着されている。ソケット２３の側壁には、外表面側から内周面へ挿通するねじ溝２３１ａを有するねじ孔２３１が形成されている。下側支柱体２２を上側支柱体２１内に嵌挿し、適宜支柱２の長さ調整をした状態でねじ孔２３１にネジＮを螺合して締め付けることにより、螺合されたネジＮの先端部が下側支柱体２２の外周面を押圧して、下側支柱体２２を上側支柱体２１に固定することができるようになされている（図２（ｂ）参照）。このような構成によって、支柱２の全長を任意に調整し、支柱２の上下端部がそれぞれ例えば室内の天井とデスクの天板のような上下に相対向する面を押圧するようにして支柱２を立設させ、固定することにより、様々な場所に支柱２を安定的に立設することができるものとなされている。
【００４４】
また、当該支柱２の上下端には、それぞれ端部キャップ２４、２５が被せられており、これにより上下の相対向する面に当接する面積を大きくして、支柱２が倒れ難いようになされている。
【００４５】
さらに、下側支柱体２２の下端部にはジャッキ機構２６が設けられている（図２（ｃ）参照）。このジャッキ機構２６は、下側支柱体２２の下端部に嵌着されたネジ孔付きキャップ２７と、該ネジ孔付きキャップ２７と端部キャップ２５との間に配された回転子２８とを備えている。
【００４６】
ネジ孔付きキャップ２７は、上下方向に開口すると共にネジ溝が形成されたネジ孔２７２ａを備えている。
【００４７】
回転子２８は、外形が略円柱形状となされた回転子本体２８１と、回転子本体２８１の上面から上方へ向けて突出するネジ部２８２ａとを備え、更に、回転子本体２８１の外周面から水平方向に突出して形成された複数のレバー部２８１ａを備えている。このネジ部２８２ａはネジ孔付きキャップ２７のネジ孔２７２ａに螺合可能となされている。
【００４８】
また、回転子本体２８１の下端部は、端部キャップ２５の上面に形成され上方へ開口する円筒状の空洞部内に挿入されており、同空洞部内で水平回転可能となされている。すなわち、レバー部２８１ａを掴んで回転子本体２８１をその外周方向へ回動させることにより、回転子２８を水平回転させることができるようになされ、この水平回転によってネジ部２８２ａをネジ孔２７２ａに螺入あるいはその逆の動作を行うことにより、支柱２の全長を短くしたり長くしたりすることができる。
【００４９】
そして、この回転子２８を利用することで、より安定的に支柱２を立設することができる。すなわち、先ずはじめに支柱２を立設する前に予め回転子２８のネジ部２８２ａをネジ付きキャップ２７のネジ孔２７２ａに螺入しておく。このとき、ネジ部２８２ａをその最奥部までネジ孔２７２ａに螺入しておくことが好ましい。また、上側支柱体２１の上端部及び回転子２８の下端部には、予め、それぞれ端部キャップ２４、２５を被せておく。その上で、上述のように下側支柱体２２を上側支柱体２１内に嵌挿し、適宜支柱２の全長を調整して支柱２の上下端部が各々室内の天井と床面のような上下に相対向する面を押圧するような状態でソケット２３のねじ孔２３１にネジＮを螺合して締め付けることにより、支柱２を上下に相対向する面間に突っ張らせるようにして立設させる。そして、その状態で更に回転子２８をネジ部２８２ａの螺入とは逆の方向へ回転させる。このようにすれば、支柱２の上下端部がその当接面（上下に相対向する面）を強く押圧するので、支柱２をより安定的に立設させることができる。
【００５０】
尚、上記端部キャップ２４、２５は、この実施形態においてはＡＢＳ樹脂により形成されたものであるが、これに限られるものではない。また、上記ネジ孔付きキャップ２７は、この実施形態においてはＡＢＳ樹脂製のキャップ本体２７１内にネジ孔２７２ａを有する六角ナット２７２を埋設させて形成されたものであり、更に、回転子２８についても、この実施形態においてはＡＢＳ樹脂製の回転子本体２８１に金属製のネジ体２８２を埋設させて形成されたものであるが、この形態に限られるものではなく、任意の材料、部材を適宜選択して形成することが可能なものである。
【００５１】
次に、収納具３について図３から図５を参照しながら説明する。
【００５２】
図３は、図１に示した実施形態における収納具を示す斜視図であり、収納具本体から底板を取り外した状態を示した図、図４は図３に示した収納具の（ａ）は平面図、（ｂ）は左側面図、（ｃ）は正面図、（ｄ）は右側面図、（ｅ）は底面図、（ｆ）は底面側からみた斜視図、図５は、図３に示した底板の（ａ）は平面図、（ｂ）は左側面図、（ｃ）は正面図、（ｄ）は右側面図、（ｅ）は底面図である。
【００５３】
この実施形態における収納具３は、略直方体形状を備え、上面に凹部３３が形成されて、該凹部３３に物品を収納できるようになされている。また、一端部近傍には、上下に貫通して支柱２を挿通可能な取付部５が形成されており、該取付部５に支柱２を挿通させて、収納具３は支柱２に取り付けられる。尚、収納具３は、後述するスペーサ３８１を介して、支柱２に取り付けられるものであり、このスペーサ３８１は、前記取付部５の内部に収容されるので、取付部５の内径寸法は、スペーサ３８１の外径寸法よりも若干大きいものとなされている。また、取付部５は、その中間部から下方に向けて、その内径寸法が徐々に拡径するようになされた拡径部５１２が形成されてなるものである（図８参照）。
【００５４】
さらに、この実施形態においては、収納具３は、収納部６と底板３２とを備えており、底板３２を収納部６から取り外し可能なものとなっている。これにより、底板３２を取り付けた状態においては、この底板３２に物品を載置するようにして、物品を収納することができる。
【００５５】
一方、底板３２を取り除くと、凹部３３は、上下に貫通する貫通孔３７となり、当該貫通孔３７に物品を挿通させると共に、収納部６に当該物品の一部を引っ掛けるなどして、この物品を収納することができるものである。
【００５６】
あるいは、底板３２を取り付けた収納具３を支柱２の所定高さに取り付けると共に、該収納具３の上方に、所定間隔を空けて、もう一つ別の収納具３を、底板３２を取り外した状態で支柱２に取り付けることによりこの一組の収納具３を組み合わせた長物収納具８を形成することができる。
【００５７】
このようにすれば、例えば傘などの長尺の物品を好適に収納することが可能となる。すなわち、上側の（底板３２を取り外した）収納部６の貫通孔３７の上方から傘を挿通させ、下側の収納部６の底板３２上に傘の下端部を載置することによって、傘を好適に収納することができる（図１参照）。
【００５８】
次に、スペーサ３８１を図８を参照しながら説明する。
【００５９】
図８は、（ａ）は、収納具及び収納具を取り付けるためのスペーサの側断面図を示した説明図であり、（ｂ）は、収納具、収納具を取り付けるためのスペーサ及びその側断面を示した説明図である。
【００６０】
スペーサ３８１は、支柱挿通部３８６を備えた略円筒形状の筒状体により構成されている。また、スペーサ３８１と収納具３の取付部５とを嵌着させるため、スペーサ３８１の外周面は、その外径が中間部から下方に向けて徐々に拡径するようになされた斜面状ないしテーパー状の拡径部３８７を備えている。
【００６１】
一方、スペーサ３８１の内周面は、ほぼ支柱２の外周面に沿うような形状となされている。すなわち、支柱挿通部３８６は、略円筒形状の空洞部となされ、その内径は、支柱２の外径とほぼ同じ寸法となされている。また、支柱挿通部３８６は、その中間部から下方に向けて徐々に拡径して斜面状ないしテーパー状の拡径部３８８が形成されている。
【００６２】
次に、収納具３の取付方法について図６及び図７を参照しながら説明する。
【００６３】
図６は、収納具及びカバー部材を支柱に取り付ける一形態を示すための説明図であり、（ａ）及び（ｂ）は、上側支柱体に収納具及びカバー部材を取り付ける様子を示した図、（ｃ）及び（ｄ）は、下側支柱体に収納具及びカバー部材を取り付ける様子を示した図、図７は、収納具及びカバー部材を支柱に取り付ける一形態を示すための説明図であり、（ａ）は、上側支柱体に収納具及びカバー部材を取り付ける様子を示した側断面図、（ｂ）は、下側支柱体に収納具及びカバー部材を取り付ける様子を示した側断面図である。なお、図６及び図７中のカバー部材４の取り付けについては後述する。
【００６４】
この実施形態における収納具３は、スペーサ３８１を介して（更にＯリング７１を用いて）支柱２に取り付けられる。
【００６５】
スペーサ３８１を支柱の所定高さに固定するために、ゴムなどの弾性部材により形成されたＯリング７１を用いている。このＯリング７１は、その内径が支柱２の外径よりも小さいものであることが好ましい。このＯリング７１を予め支柱２に嵌挿させ、これをスペーサ３８１及び収納具３を取り付けたい高さ位置に係止させる。そして、同じく支柱２に嵌挿させたスペーサ３８１をＯリング７１の上方から、被せるように嵌着させる。すなわち、Ｏリング７１をスペーサ３８１内の拡径部３８８に収容するようにしてスペーサ３８１を嵌着させる（図８（ａ）、（ｂ）参照）。このとき、スペーサ３８１の拡径部３８８における内径は、下方に向けて徐々に拡径しているため、スペーサ３８１を嵌着させていくとＯリング７１は拡径部３８８によって支柱２の方向（Ｏリング７１の半径方向かつ内側方向）へ押圧される。そうすると、Ｏリング７１は強く支柱２の周囲に締結されるので、下方へ滑り落ちることがなくなり、これによってスペーサ３８１も下方へすべり落ちることなく所望の高さ位置に取り付けられ固定されることとなる。
【００６６】
以上のような構成を備えたスペーサ３８１及びＯリング７１を用いて、収納具３は、支柱２の所定高さに取り付けられ、固定される。すなわち、先ずＯリング７１を所定高さに係止させたのち、図７（ａ）の矢印Ｘに示すように、Ｏリング７１の上方からスペーサ３８１を嵌着させる。そしてさらに、スペーサ３８１の上方から、収納具３を取付部５において嵌着させる（同じく矢印Ｙ）ことによって、収納具３は、支柱２に取り付けられる。
【００６７】
ところで、この実施形態においては、上側支柱体２１と下側支柱体２２とでは、その外径寸法が異なる（下側支柱体２２の外径の方が、上側支柱体２１のそれよりも小さい）が、上述の通り、スペーサ３８１の支柱挿通部３８６の内径は、上側支柱体２１の外径とほぼ同じか僅かに大きい寸法となされている。上側支柱体２１よりも外径の小さい下側支柱体２２にスペーサ３８１を取り付けるには、支柱挿通部３８６の内径の小さいスペーサ３８１を別途作るようにしてもよいが、この実施形態においては、略円筒形状の第二スペーサ７２を準備して、これにより下側支柱体２２の外周面とスペーサ３８１の支柱挿通部３８６の内周面との間の隙間を埋めるようにしている。
【００６８】
次に、取付部５と収納部６とが着脱自在となされた収納具３について説明する。
【００６９】
なお、図１から図８の収納具３との相違点についてのみ説明し、同一の構成要素については、同一符号を付してその説明を省略する。
【００７０】
まず、取付部５について、図９及び図１０を参照しながら説明する。
【００７１】
図９は、本発明に係る物品収納装置における収納具の取付部の一実施形態を示す斜視図である。図１０は、図９に示した収納具の取付部の（ａ）は平面図、（ｂ）は左側面図、（ｃ）は（ａ）におけるＡ−Ａ線間断面図である。
【００７２】
取付部５は、上下に開口してその内部に支柱２を挿通可能な略円筒形状の挿通部５１と、該挿通部５１と一体に形成され収納部６の嵌合部６４（後述）が嵌合されて取り付けられるようになされた収納部取付部５２とを備えている。
【００７３】
収納部取付部５２は、挿通部５１の背面に突出した突出片５２１と、該突出片５２１の左右に形成された一対の嵌挿凸条５２２、５２２とを備えている。嵌挿凸条５２２、５２２は、突出片５２１の左右側壁面から水平方向に突設されたものであり、かつその水平断面形状が略Ｔ字形状であって、上下方向に延びるものとなされている。
【００７４】
また、挿通部５１の内周は、ほぼ支柱２の外周面に沿うような形状となされている。すなわち、挿通部５１内は略円柱形状の空洞部５１１となっており、その内径は支柱２の外径とほぼ同じか僅かに大きい寸法となされている。更に、挿通部５１の下端部近傍においては、下方に向かうにつれ徐々に拡径する斜面状ないしテーパー状の傾斜面５１２ａが形成された拡径部５１２を備えている（図１０（ｃ）参照）。
【００７５】
また、この実施形態においては、取付部５を支柱２に取り付け固定するには、前述したＯリング７１を用いている（図１３参照）。
【００７６】
次に収納部６について、図１１及び図１２を参照しながら説明する。
【００７７】
図１１は、本発明に係る物品収納装置における収納具の収納部の他の実施形態を示す斜視図、図１２は、図１１に示した収納部の（ａ）は平面図、（ｂ）は底面図、（ｃ）は左側面図、（ｄ）は（ａ）におけるＢ−Ｂ線間断面図、（ｅ）は（ｃ）におけるＣ−Ｃ線間の水平断面図である。
【００７８】
この収納部６は、略円筒状の側壁部６１と底板３２とを備えることにより中央上面に凹部３３が形成された受け皿状となされている。また、収納部６の背面側はその一部が平面視略Ｕ字状に切り欠かれ、取付部５に嵌合される嵌合部６４が形成されている。
【００７９】
さらに、この嵌合部６４は、前述の取付部５における挿通部５１の外周面に嵌合する挿通部嵌合部６４１と、取付部５における突出片５２１の周囲に配されると共に背面方向に向かって開口する連通部６４２と、取付部５における嵌挿凸条５２２が嵌挿される嵌挿溝６４３とを備えている。
【００８０】
挿通部嵌合部６４１内の空洞部６４１ａは、その内径が下方に向かって徐々に拡径する円錐台形状となされている。また、これと嵌合する取付部５の挿通部５１は、その外周面における外径が下方に向かって拡径する円錐台形状となされているため、収納部６の挿通部嵌合部６４１と取付部５の挿通部５１は互いに嵌合し合う形状である。よって、挿通部嵌合部６４１の上端部の内径及び下端部の内径は、それぞれ挿通部５１の上端部の外径及び下端部の外径と略同一寸法となされている（図１０及び図１２参照）。
【００８１】
収納部６の嵌挿溝６４３の空洞部６４３ａは、取付部５の嵌挿凸条５２２と略同一形状であって、該嵌挿凸条５２２を嵌挿可能な形状及び寸法となされている。すなわち、嵌挿溝６４３の空洞部６４３ａは、水平断面において略Ｔ字状に切り欠かれた空洞が上下方向に延びるようにして形成されている。また、嵌挿溝６４３の下端部は下方へ開口する一方、上端部は、天井部６４３ｂによって上方へは開口せず閉鎖されている。尚、取付部５に形成された嵌挿凸条５２２は、天井部６４３ｂの厚み（高さ寸法）分だけ取付部５（突出片５２１）の上端面より下がった位置から下方に延びるように形成されている。
【００８２】
上記説明した取付部５と収納部６との着脱について、図１３から図１６を参照しながら説明する。
【００８３】
図１３は、図９に示した取付部及び図１１に示した収納部を支柱に取り付ける様子を示す説明図、図１４（ａ）は図１３において収納具を支柱に取り付ける様子を示した説明図の側断面図であり、（ｂ）は取り付けた後の状態における取り付け箇所の側断面図、図１５は、図９に示した取付部及び図１１に示した収納部を、更にスペーサを用いて支柱に取り付ける様子を示す説明図、図１６（ａ）は図１５において収納具を支柱に取り付ける様子を示した説明図の側断面図であり、（ｂ）は取り付けた後の状態における取り付け箇所の側断面図である。
【００８４】
図１３に示すように、収納部６の挿通部嵌合部６４１を上方から取付部５の挿通部５１に嵌合させると、挿通部嵌合部６４１の上端面と挿通部５１の上端面とが略面一となる状態で、収納部６は取付部５に係止される。すなわち、嵌挿溝６４３に嵌挿凸条５２２を嵌挿させるようにして上方から収納部６を取付部５に嵌着させると、突出片５２１の上端面と連通部６４２の上端面とが略面一になる状態で、収納部６は取付部５に嵌着され係止される。
【００８５】
以上のように、先ずＯリング７１を用いて支柱２の所定高さ位置に取り付けた取付部５（図１３の矢印Ｘ）に対し、その上方から収納部６の嵌合部６４を嵌合ないし嵌着させる（図１３の矢印Ｙ）ことによって、収納部６は支柱２の所定高さ位置に取り付けられ、係止されるものとなされている。
【００８６】
なお、上述したとおり、上側支柱体２１と下側支柱体２２とでは、その外径寸法が異なるため、図１５及び図１６に示すようにスペーサ３８１を用いて下側支柱体２２に取付部５を取り付けても構わない。これにより、Ｏリング７１をスペーサ３８１内の拡径部３８８に収容するようにして下側支柱体２２の外周面とスペーサ３８１との間の隙間を埋めることができる。
【００８７】
本実施形態における長物収納部について図１７から図２０を参照しながら説明する。
【００８８】
図１７は、本発明に係る物品収納装置における収納部（長物収納部）の一実施形態を示す斜視図であり、支柱に取り付けた状態を示す図、図１８は、図１７に示した長物収納部における第二収納部を示す斜視図、図１９は、図１８に示した第二収納部の（ａ）は底面図、（ｂ）は左側面図、（ｃ）は（ａ）におけるＤ−Ｄ線間断面図、図２０は図１７に示した長物収納部を支柱に取り付ける様子を示す説明図である。
【００８９】
長物収納部８は、下側の収納部６（第一収納部８１）、上側の収納部６（第二収納部８２）から構成されている。
【００９０】
第二収納部８２は、略円筒状であり、その側壁部８２１の内側に平面視葉脈形状の内枠８２２が形成され、当該葉脈形状の内枠８２２によって仕切られ上下に挿通する貫通孔３７が複数形成されている（図１８参照）。これにより、収納すべき物品を第二収納部８２の上方から貫通孔３７に挿通させ、当該物品の下端部を第一収納部８１の底板３２上に載置するようにして物品を収納することができる。
【００９１】
さらに、下側の収納部６である第一収納部８１の凹部３３内には、平面視葉脈形状であって第一収納部８１の側壁部８１１の高さ寸法未満の高さ寸法を有する葉脈状仕切材８５が配されていても構わない。第一収納部８１の凹部３３内にこの葉脈状仕切材８５を備えることにより、収納する物品の下端部が第一収納部８１の底板３２上を水平方向に大きく滑るのを防止できる。
【００９２】
尚、上記内枠８２２及び葉脈状仕切材８５は、葉脈形状に限定されるものではない。内枠８２２は、収納すべき物品を挿通可能な貫通孔３７が形成できれば任意の形状としてよく、また収納すべき物品の種類や寸法に応じて貫通孔３７を所望の大きさとすることが可能である。また、葉脈状仕切材８５についても、収納する物品の下端部が第一収納部８１の底板３２上を水平方向に大きく滑るのを防止できるものであれば、任意の形状としてもよい。さらに、この葉脈状仕切材８５は、この実施形態においては第一収納部８１とは別体として作製されたものであるが、第一収納部８１と一体的に形成されたものであってもよい。
【００９３】
また、長物収納部８は、第二収納部８２の葉脈形状の内枠８２２と第一収納部８１の凹部３３内に配された葉脈状仕切材８５とを接続する接続杆８６を備えていても構わない。
【００９４】
接続杆８６は、直線状の棒状体８６１の両先端部に先端方向へ向かって二股に分岐した二股形状部８６２を備えており、この両二股形状部８６２、８６２がそれぞれ第二収納部８２の葉脈形状の内枠８２２と葉脈状仕切材８５の一部を挟持するようにして、これらを接続するようにしたものである。
【００９５】
この接続杆８６を備えることにより、第一収納部８１または第二収納部８２が支柱２の円筒軸中心を中心に水平方向へ回動するのを妨げて、第二収納部８２が常に第一収納部８１の真上にあるように、その位置関係を維持することができる。
【００９６】
尚、この実施形態においては、接続杆８６を上記のような形態としたが、これに限られるものではない。たとえば、接続杆８６は、第二収納部８２の葉脈形状の内枠８２２と葉脈状仕切材８５とを接続するものに限られず、第一収納部８１の側壁部８１１と第二収納部８２の側壁部８２１とを接続するようにしてもよい。また、接続杆８６の両先端部は上述のような二股形状に限られない。更に、接続杆８６は、一本の棒状体により構成される必要はなく、複数本であってもよいし、あるいは所定の幅寸法を有する板状部材であったり、網状体であったりしてもよい。
【００９７】
また、この接続杆８６に関して、様々な長さ寸法の接続杆８６を予め用意しておくようにしてもよい。このようにすれば、これを任意に取り替えることによって、様々な長さ寸法の物品をその長さ寸法に応じて好適に収納することが可能となる。
【００９８】
このようにして支柱２に取り付けられた取付部５及び収納部６により収納具３が形成されるので、所望の高さ位置に収納具３を配することができ、物品の種類や大きさに応じて、また利用者の好みに応じて収納具３のレイアウトを変更して収納部６に様々な物品を収納することができる。
【００９９】
尚、この実施形態においては、収納部６は略直方体形状のもの、平面視円形の受け皿状のものを説明したが、この形態に限られるものではない。三角形、四角形、その他任意の形状としてもよく、側壁部６１の高さ寸法も任意の寸法としてよい（側壁を設けないものとしてもよい）。また、底板３２は、板状のものに限られず、メッシュ状のもの、凹凸形状を有するものなど、任意の形態のものを選択して用いることができるものである。更に、複数の収納部６は、それぞれ形状や寸法の異なる収納部６であってもよく、それらを組み合わせて用いるようにすることもできる。
【０１００】
また、取付部５の全体形態に関係なく、取付部５の収納部取付部５２は全て同じ形態かつ同一寸法のものであるのが好ましい。また、収納部６についても、その全体の形態に関係なくその嵌合部６４も全て同じ形態かつ同一寸法を備えているのが好ましい。これによって、様々な形態の収納部６を任意の位置の取付部５に取り付けることができる。したがって、収納部６の位置を容易に変えることができ、レイアウトの変更が短時間かつ簡単な動作によって可能となる。
【０１０１】
また、上述した取付部５、収納部６、スペーサ３８１、第二スペーサ７２、葉脈状仕切材８５、及び接続杆８６は、この実施形態においてはいずれもポリプロピレンにより作製されたものであるが、これに限られるものではない。ポリプロピレンと同様に成形可能であって所定の強度を備えていれば他の樹脂材料、金属材料、木材、その他任意の材料を適宜選択して用いることが可能である。
【０１０２】
次に、本発明に係る他の実施形態について図２１及び図２２を参照しながら説明する。
【０１０３】
なお、本実施形態は、上記図１から図２０に示した実施形態にカバー部材４が取り付けられたものであるので、以下、その相違点についてのみ説明し、同一の構成要素については、同一符号を付してその説明を省略する。
【０１０４】
図２１及び図２２は、本発明に係る物品収納装置の一実施形態にカバー部材４を取り付けた斜視図である。図２３は図２１及び図２２に示した物品収納装置の（ａ）は左側側面図、（ｂ）は正面図、（ｃ）は右側面図、（ｄ）は、平面図である。
【０１０５】
この物品収納装置は、主に壁面Ｗ１に近い位置に設置されるものであり、支柱２に取り付けられた収納具３を覆うためのカバー部材４が備えられている。図２１に示した物品収納装置では、２つの収納具３を１つのカバー部材４で覆っている。支柱２を回転軸として回動自在にカバー部材４が取り付けられており、２つのカバー部材４のうち、図２１に示した下段のカバー部材４のように、カバー部材４を収納具３から離して収納具が見える「覆わない位置」とすれば、物品の出し入れができる。また、このカバー部材４を収納具３に対して閉合する方向、（壁面Ｗ１の方向）へ回動させて、図２１に示した上段のカバー部材４のように、カバー部材４の中空部に収納具３を収容するようにすれば、カバー部材４が目隠しとなって、収納具３が見えない状態となる。このように、物品収納装置１は、カバー部材４を備え、これを支柱２を軸として回動させることによって、収納具３に収納する物品の出し入れを可能とした「覆わない位置」と、カバー部材４を収納具３に対して閉合して外観からは収納具３が見えない状態とした「覆う位置」とに変更自在としている。
【０１０６】
以下、これらの詳細な構成について説明する。
【０１０７】
図２４〜図２６を参照しながら、本実施形態のカバー部材４及びカバー部材４の取付方法について説明する。
【０１０８】
図２４は、図２１に示した実施形態におけるカバー部材の（ａ）は正面側から見た斜視図、（ｂ）は背面側から見た斜視図、図２５は、図２４に示したカバー部材の（ａ）は平面図、（ｂ）は左側面図、（ｃ）は正面図、（ｄ）は右側面図、（ｅ）は底面図、（ｆ）は背面図、図２６は、（ａ）は、カバー部材の上面壁に形成された支柱挿通孔部と上部スペーサを、（ｂ）は、カバー部材の下面壁に形成された支柱挿通孔部と下部スペーサを、それぞれその側断面を示した説明図である。
【０１０９】
カバー部材４は、中空部を備えた箱体の一側壁面が開口され開口部４１が形成されてなるものである。また、カバー部材４の一側端部近傍の上面壁４３及び下面壁４４には、上下に貫通する支柱挿通孔部４３１、４４１が形成されており、この支柱挿通孔部４３１、４４１に支柱２を挿通させることにより、カバー部材４は、支柱２に取り付けられる。尚、この実施形態においては、カバー部材４は、支柱挿通孔部４３１、４４１の内部に配されるスペーサ３８１を介して支柱２に取り付けられるものである（図６参照）。それゆえ、支柱挿通孔部４３１、４４１は、その内径が支柱２の外径よりも大きいものとなされている。尚、後述する理由により、支柱挿通孔部４３１と４４１は、同一の内径寸法を備えていることが好ましい。
【０１１０】
スペーサ３８１は、前述の図８に示したスペーサ３８１と異なり、スペーサの端部周上には、カバー部材４を支えるツバ部４１０が形成されている。また、スペーサ３８１の内周面は、略円筒形状の空洞部となされ、その内径は、支柱２の外径とほぼ同じ寸法となされているが、その中間部から下方に向けて徐々に拡径して斜面状ないしテーパー状の拡径部３８８が形成されている（図２６、図３１参照）。
【０１１１】
なお、スペーサ３８１は、略円筒形状の筒状体を半割した２つの分割体から構成されていても構わない。この場合、各分割体は凸部４０１又は凹部４０２のいずれかを有しており、凸部４０１と凹部４０２とが嵌合することにより一体となる（図３１参照）。
【０１１２】
次に、カバー部材４を支柱２に取り付ける取付方法について以下説明する。
【０１１３】
前述した図６又は図７に示すように、下部スペーサ３８４を支柱２の所定高さに固定するには、上述したＯリング７１を用いる。このＯリング７１を予め支柱２に嵌挿させ、これをスペーサ（下部スペーサ３８４）及びカバー部材４を取り付けたい高さ位置に係止させる。そして、同じく支柱２に嵌挿させた下部スペーサ３８４をＯリング７１の上方から、被せるように嵌着させ、Ｏリング７１を下部スペーサ３８４内の拡径部３８８に収容するようにして下部スペーサ３８４を嵌着させる。このとき、下部スペーサ３８４の拡径部３８８における内径は、上方へ向かって縮径されているため、下部スペーサ３８４を嵌着させていくとＯリング７１は拡径部３８８によって支柱２の方向（Ｏリング７１の半径方向かつ内側方向）へ押圧される。そうすると、Ｏリング７１は強く支柱２の周囲に締結されるので、下方へ滑り落ちることがなくなり、これによって下部スペーサ３８４も下方へすべり落ちることなく所望の高さ位置に取り付けられ固定されることとなる。以上のような構成を備えた下部スペーサ３８４及びＯリング７１を用いて、下部スペーサ３８４は、支柱２の所定高さ位置に取り付けられる。
【０１１４】
次に、カバー部材４の支柱挿通孔部４３１、４４１及び所望の数の収納具３を支柱２に通して取り付ける。カバー部材４の支柱２への取り付けは、下部スペーサ３８４にカバー部材４の支柱挿通孔部４４１が嵌着されることにより行われる。すなわち、前述した図６（ａ）、（ｂ）及び図７（ａ）に示すように、先ずＯリング７１を所定高さに係止させたのち、図７（ａ）の矢印Ｐに示すように、Ｏリング７１の上方から下部スペーサ３８４を嵌着させる。そしてさらに、下部スペーサ３８４の上方から、カバー部材４をその支柱挿通孔部４４１において嵌着させることによって（同じく矢印Ｑ）、カバー部材４は、下部スペーサ３８４のツバ部４１０に支えられ、支柱２に取り付けられる。
【０１１５】
また、カバー部材４の上面壁４３の支柱挿通孔部４３１には、スペーサ（上部スペーサ３８３）が嵌入され、上部スペーサ３８３の上端縁のツバ部４１０によってカバー部材４が上下に動かないように固定されている（図２６参照）。
【０１１６】
これにより、カバー部材４が支柱２に対して所定の角度を成すように取り付けられる。なお、収納具３の取り付けは前述したとおりである。
【０１１７】
この実施形態においては、カバー部材４の支柱挿通孔部４３１、４４１が形成されている反対側の端部の前面側には、突条４７が形成されており（図２１参照）、該突条４７を指先で摘んでカバー部材４を回動させることができるので、カバー部材４の操作が容易となっている。
【０１１８】
次に、カバー部材の変形例について、図２７を参照しながら説明する。
【０１１９】
図２７は、本発明に係る物品収納装置のカバー部材の変形例を示す斜視図である。なお、本変形例は、図２１から図２６のカバー部材４の形態が異なるものであるので、以下、その相違点についてのみ説明し、同一の構成要素については、同一符号を付してその説明を省略する。
【０１２０】
本変形例のカバー部材４は、上面壁４３の奥行きの長さと下面壁４４の奥行きの長さは、異なるものである。
【０１２１】
図２７に示した例では、カバー部材４の側面壁４５が略対角線上に切断されているものである。なお、切断例はこれに示すものに限られるものではない。
【０１２２】
よって、この変形例においては、建物の壁面Ｗ１に沿わせた場合に壁面Ｗ１と箱体の開口部４２との間に隙間が確保されるので、箱体の側面壁４５を指先で摘んでカバー部材を回動させることができる。従って、カバー部材４の開閉操作が容易となる。また、カバー部材４の側面壁４５側から視たときの見栄えを良くすることができる。
【０１２３】
次に、カバー部材のさらに変形例について、図２８及び図２９を参照しながら説明する。
【０１２４】
なお、本変形例は、図２７のカバー部材４の形態が異なるものであるので、以下、その相違点についてのみ説明し、同一の構成要素については、同一符号を付してその説明を省略する。
【０１２５】
図２８は、本発明に係る物品収納装置のカバー部材の他の変形例を示す斜視図、図２９は、図２８に示したカバー部材の（ａ）は平面図、（ｂ）は左側面図、（ｃ）は正面図、（ｄ）は右側面図、（ｅ）は底面図、（ｆ）は背面図である。図３０は、カバー部材を支柱に取り付けるカバー取付部材の平面図、図３１は、カバー部材を支柱に取り付けるスペーサの斜視図、である。
【０１２６】
本変形例のカバー部材４は、上面壁４３の一側端部及びその下方の下面壁４４の一側端部には、それぞれ、平面視略Ｕ字状に切り欠けられた切欠部９３１、９４１が備えられ、切欠部９３１、９４１は、後述するカバー取付部材１００と嵌合するカバー嵌合部が備えられたものである。
【０１２７】
カバー嵌合部は、嵌合溝９３３及び係合部９３２を備える。
【０１２８】
嵌合溝９３３は、切欠部９３１、９４１の形状（平面視略Ｕ字状）に沿って切欠部９３１、９４１の内面に形成されており、後述するカバー取付部材１００が嵌挿されるものである（図２８及び図２９参照）。
【０１２９】
係合部９３２は、カバー部材４の上面壁４３の切欠部９３１の左右及び下面壁４４の切欠部９４１の左右に一対として形成されており、後述するカバー取付部材１００を係合させることにより、カバー部材４を支柱２の所望の高さに固定させるものである（図２８及び図２９参照）。
【０１３０】
カバー取付部材１００は、カバー部材４と嵌合して支柱２にカバー部材４を固定するものである。カバー取付部材１００は、カバー部材４の上面壁４３及び下面壁４４と同程度の厚みの板状の部材であり、その一端側は、後述するスペーサ３８１の外周面に沿う曲線形状となる。またカバー取付部材１００の両側面には、カバー部材４の係合部９３２と係合してカバー部材４を固定する一対の係合爪部１０１、１０１と、カバー部材４の嵌合溝９３３に嵌挿される一対の嵌合突部１０２、１０２と、が形成されている（図３０参照）。
【０１３１】
この変形例のカバー部材４の取付方法について図３２Ａから図３４Ｃを参照しながら説明する。
【０１３２】
図３２Ａは、図３１に示したスペーサを支柱に取り付ける様子を示し、スペーサを取り付け前を示す説明図である。図３２Ｂは、図３１に示したスペーサを支柱に取り付ける様子を示し、スペーサを取り付け後を示す説明図である。図３３Ａは、図２８に示したカバー部材を支柱に取り付ける様子を示し、カバー部材を取り付け前を示す説明図である。図３３Ｂは、図２８に示したカバー部材を支柱に取り付ける様子を示し、カバー部材を取り付け後を示す説明図である。図３４Ａは、図３０に示したカバー取付部材によりカバー部材を支柱に位置決め固定する様子を示し、カバー取付部材を取り付け前を示す説明図である。図３４Ｂは、図３０に示したカバー取付部材によりカバー部材を支柱に位置決め固定する様子を示し、カバー取付部材を取り付け後を示す説明図である。図３４Ｃは、図３４Ｂの要部拡大図である。
【０１３３】
収納具３が取り付けられた支柱２の収納具３の下方位置にスペーサ（下部スペーサ３８４）を固定するため、まず、ゴムなどの弾性部材によって形成されたＯリング７１を支柱２に取り付ける。このＯリング７１を支柱２に嵌挿させ、これを下部スペーサ３８４及びカバー部材４を取り付けたい高さ位置に係止させる。そして、下部スペーサ３８４を２つに分割し、支柱２を分割体で挟むようにして下部スペーサ３８４を取り付けた後に、下部スペーサ３８４をＯリング７１の上方から、被せるように嵌着させる（図３２ＢのＲ方向）。
【０１３４】
同様に、収納具３の上方位置に、スペーサ（上部スペーサ３８３）を固定する。上部スペーサ３８３は、下部スペーサ３８４と同一の部材を用いており、下部スペーサ３８４の上下を逆さにして取り付ける。つまり、拡径部３８８が下方に向かって縮径するように取り付ける。なお、上部スペーサ３８３の取付時は、Ｏリング７１を予め支柱２に嵌挿しなくても構わない。この上部スペーサ３８３及び下部スペーサ３８４を一対とし、カバー部材４を取り付ける数に対応する数だけ上部スペーサ３８３及び下部スペーサ３８４を支柱２の所望の位置に取り付ける。
【０１３５】
次に、カバー部材４の下面壁４４の切欠部９４１を下部スペーサ３８４のツバ部４１０で支持するようにカバー部材４を取り付ける。その後、カバー部材４の上面壁４３の切欠部９３１を上面スペーサ３８３のツバ部４１０で上方から押し当てるようにして、カバー部材４を支柱２に取り付ける。これにより、カバー部材４は収納具３を覆うように取り付けることができる。（図３３Ｂ参照）。
【０１３６】
次に、カバー部材４の切欠部９３１、９４１の嵌合溝９３３に、カバー取付部材１００の嵌合突部１０２、１０２を嵌合させ、カバー部材４の係合部９３２、９３２にカバー取付部材１００の係合爪部１０１、１０１を係合させる。これにより、カバー部材４は支柱２の所望の高さ位置に固定されることとなる（図３４Ｂ参照）。
【０１３７】
以上のようにして、上述したカバー部材４を用いた本実施形態の物品収納装置では、複数の収納具３及びカバー部材４が支柱２に取り付けることができ、図２０及び図２７に示すように、壁面Ｗ１に近い位置に立設される。物品の出し入れをするときには、図２０及び図２７における下段のカバー部材４のように、収納具３が見える状態（上述した「覆わない位置」）として、物品の出し入れを行う。また、物品の出し入れが終わった後は、カバー部材４を回動させて図２０及び図２７における上段のカバー部材４のように、収納具３が見えない状態（すなわち、収納具３をカバー部材４の中空部に収容した状態。上述した「覆う位置」）としておく。これにより、収納物品が見えない状態での収納が可能である。
【０１３８】
尚、カバー部材４を上下逆さまにして取り付けることも可能である。すなわち、図２０、図２１、図２７に示した実施形態のように、カバー部材４を左に回動させて覆う位置とし、右に回動させて覆わない位置とすることもできるが、カバー部材４を上下逆さまにして取り付けることによって、カバー部材４を右に回動させて覆う位置とし、左に回動させて覆わない位置とすることもできるようになされている。したがって、部屋の間取りなど、諸条件に応じてカバー部材４の設置方向を任意に設定することが可能である。
【０１３９】
また、この図２０、図２１、図２７においては、１つのカバー部材４に対して２つの収納具３を取り付けているが、１つのカバー部材４で覆われる収納具の数はこれら図示例に限られず、１つ又は３つ以上とすることもできるものである。また、収納具３及びカバー部材４の形状、寸法や、収納具３に収納したい物品の種類や大きさに応じて任意に変更可能である。
【０１４０】
また、本実施形態においては、カバー部材４は、略直方体形状の箱体のものとしているが、この形態に限られるものではない。例えば、正面視で、円形、三角形その他の多角形、あるいはそれ以外の任意の形状としてもよく、その大きさも任意の寸法としてよい。また、本実施形態においては、カバー部材４を中空部を備えた箱体のものとし、その一側壁面を開口したものであるが、これに限られず、２面以上開口したものであっても構わない。
【０１４１】
また、上述したカバー部材４、上部スペーサ３８３及び下部スペーサ３８４、カバー取付部材１００は、本実施形態においてはいずれもポリプロピレンにより作製されたものであるが、これに限られるものではない。ポリプロピレンと同様に成形可能であって所定の強度を備えていれば他の樹脂材料、金属材料、木材、その他任意の材料を適宜選択して用いることが可能である。
【０１４２】
以上のとおり、具体的な実施形態を示して本発明に係る物品収納装置を説明してきたが、本発明は上述の実施形態に限られるものではなく、本発明の趣旨を逸脱しない範囲で様々に形態等を変更することが可能なものである。すなわち、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定され、また、特許請求の範囲と均等の意味及び範囲内でのすべての変更が含まれるものである。
【０１４３】
例えば、支柱については、上記実施形態においては、上下に突っ張らせて立設する支柱について例示したが、これに限られない。例えば、１本の支柱体と該支柱体の下部に設けられた脚部を備えるようにし、該脚部により支柱が自立するようにしてもよい。
【産業上の利用可能性】
【０１４４】
本発明は、収納具や収納具の底板が汚れた場合に容易に洗浄したり、収納具及び底板の交換できるとともに、長尺物品の収納に適した物品収納装置に適用可能である。
【符号の説明】
【０１４５】
１  物品収納装置
２  支柱
３  収納具
３２  底板
３３  凹部
４  カバー部材
４１  開口部（中空部）
５  取付部
６  収納部
６４  嵌合部
８  長物収納部
８１  第一収納部、
８２  第二収納部
９３２  係合部
９３３  嵌合溝
１００  カバー取付部材
【図１】
2013005462.tif 000003
【図２】
2013005462.tif 000004
【図３】
2013005462.tif 000005
【図４】
2013005462.tif 000006
【図５】
2013005462.tif 000007
【図６】
2013005462.tif 000008
【図７】
2013005462.tif 000009
【図８】
2013005462.tif 000010
【図９】
2013005462.tif 000011
【図１０】
2013005462.tif 000012
【図１１】
2013005462.tif 000013
【図１２】
2013005462.tif 000014
【図１３】
2013005462.tif 000015
【図１４】
2013005462.tif 000016
【図１５】
2013005462.tif 000017
【図１６】
2013005462.tif 000018
【図１７】
2013005462.tif 000019
【図１８】
2013005462.tif 000020
【図１９】
2013005462.tif 000021
【図２０】
2013005462.tif 000022
【図２１】
2013005462.tif 000023
【図２２】
2013005462.tif 000024
【図２３】
2013005462.tif 000025
【図２４】
2013005462.tif 000026
【図２５】
2013005462.tif 000027
【図２６】
2013005462.tif 000028
【図２７】
2013005462.tif 000029
【図２８】
2013005462.tif 000030
【図２９】
2013005462.tif 000031
【図３０】
2013005462.tif 000032
【図３１】
2013005462.tif 000033
【図３２Ａ】
2013005462.tif 000034
【図３２Ｂ】
2013005462.tif 000035
【図３３Ａ】
2013005462.tif 000036
【図３３Ｂ】
2013005462.tif 000037
【図３４Ａ】
2013005462.tif 000038
【図３４Ｂ】
2013005462.tif 000039
【図３４Ｃ】
2013005462.tif 000040
【国際調査報告】
2013005462.tif 000041
2013005462.tif 000042
2013005462.tif 000043
2013005462.tif 000044